(57)【要約】      （修正有）【課題】コーヒー粉を均一にブリューして十分に抽出できるコーヒーメーカーブリューワーマシンを提供する。【解決手段】コーヒーカップ２０を支える底台１０を備え、底台の上表面には底台と垂直なサポートアーム３０を設置し、サポートアームは空洞式構造で、頂部には液貯蔵器５０の固定に用いるケーシング３０１を備え、中央部には溶解カップ４０を支えるサポートフレーム３０３を備える。サポートアーム内には液貯蔵器５０の回転を駆動する駆動器７０を設置し、液貯蔵器内の液体は回転しながら溶解カップ４０内に流入し、溶解カップ内のコーヒー粉をブリュー後の液体は、コーヒーカップ内に流入する。回転しながら溶解カップ内に流入する液体は、十分に均一にコーヒー粉の表面と接触するため、コーヒー粉が十分に抽出される。【選択図】図２
0003205119.tif 000002
【実用新案登録請求の範囲】
【請求項１】
コーヒーメーカーブリューワーマシンは、底台を備え、
該底台は、コーヒーカップを支えるために用い、該底台の上表面には、該底台と垂直なサポートアームを設置し、該サポートアームは、空洞式構造で、  
該サポートアームの頂部は、その側壁方向へと延伸し、液貯蔵器の固定に用いるケーシングを備え、該サポートアーム中央部は、その側壁方向へと延伸し、溶解カップを支えるサポートフレームを備え、
該サポートアーム内には、該液貯蔵器の回転を駆動する駆動器を設置し、該駆動器は、該液貯蔵器の回転を駆動し、
該液貯蔵器内の液体は、回転しながら、該溶解カップ内に流入し、該溶解カップ内のコーヒー粉をブリュー後の液体は、該コーヒーカップ内に流入することを特徴とするコーヒーメーカーブリューワーマシン。
【請求項２】
前記駆動器は、該液貯蔵器外にぐるりと嵌める回転リング、該回転リング外に嵌めて設置し、しかも該回転リングを支えるベアリング、及び該サポートアーム空洞内に位置するモーターを備え、
該回転リングと該モーターの回転軸とは、設置する伝動ベルトを通して連接されることを特徴とする請求項１に記載のコーヒーメーカーブリューワーマシン。
【請求項３】
前記液貯蔵器の偏心位置には、若干の第一出液口を設置することを特徴とする請求項１に記載のコーヒーメーカーブリューワーマシン。
【請求項４】
前記液貯蔵器外には、該第一出液口の閉鎖を調節する調節リングを嵌めて設置することを特徴とする請求項３に記載のコーヒーメーカーブリューワーマシン。
【請求項５】
前記溶解カップの底部には、第二出液口を設置することを特徴とする請求項１に記載のコーヒーメーカーブリューワーマシン。
【請求項６】
前記溶解カップと該コーヒーカップとの間には、フィルターを設置することを特徴とする請求項１に記載のコーヒーメーカーブリューワーマシン。
【請求項７】
前記液貯蔵器内には、温度計を設置することを特徴とする請求項１に記載のコーヒーメーカーブリューワーマシン。
【請求項８】
前記コーヒーカップ外周には、ヤケド防止リングを嵌めて設置することを特徴とする請求項１に記載のコーヒーメーカーブリューワーマシン。
【請求項９】
前記サポートアームの空洞内には、該駆動器にエネルギーを提供する電池をさらに設置することを特徴とする請求項１に記載のコーヒーメーカーブリューワーマシン。
【請求項１０】
前記サポートアームの側壁には、電池を充電するＵＳＢインターフェースを設置することを特徴とする請求項９に記載のコーヒーメーカーブリューワーマシン。
【考案の詳細な説明】
【技術分野】
【０００１】
本考案は、ブリューワーマシンに関し、特にコーヒーメーカーブリューワーマシンに関する。
【背景技術】
【０００２】
コーヒーメーカーブリューワーマシンは、コーヒー粉をブリュー及び抽出するために用いる装置である。
【０００３】
従来のコーヒーメーカーブリューワーマシンは、ブリュー時に、外部の液体がコーヒー粉上にダイレクトに流れ入るため、コーヒー粉からコーヒーが均一に抽出されない。
【先行技術文献】
【特許文献】
【０００４】
【特許文献１】特開2008-194468号公報
【考案の概要】
【考案が解決しようとする課題】
【０００５】
本考案は、上述の問題に鑑みてなされたものであり、その目的は、従来の技術の不足を解決し、コーヒー粉を均一にブリューして抽出できるコーヒーメーカーブリューワーマシンを提供することにある。
【課題を解決するための手段】
【０００６】
本考案によるコーヒーメーカーブリューワーマシンは、底台を備え、該底台は、コーヒーカップを支えるために用い、該底台の上表面には、該底台と垂直なサポートアームを設置し、該サポートアームは、空洞式構造で、
該サポートアームの頂部は、その側壁方向へと延伸し、液貯蔵器の固定に用いるケーシングを備え、該サポートアーム中央部は、その側壁方向へと延伸し、溶解カップを支えるサポートフレームを備え、
該サポートアーム内には、該液貯蔵器の回転を駆動する駆動器を設置し、該駆動器は、該液貯蔵器の回転を駆動し、
該液貯蔵器内の液体は、回転しながら、該溶解カップ内に流入し、該溶解カップ内のコーヒー粉をブリュー後の液体は、該コーヒーカップ内に流入する。
【０００７】
好ましくは、該駆動器は、該液貯蔵器外にぐるりと嵌める回転リング、該回転リング外に嵌めて設置し、しかも該回転リングを支えるベアリング、及び該サポートアーム空洞内に位置するモーターを備え、
該回転リングと該モーターの回転軸とは、設置する伝動ベルトを通して連接される。
【０００８】
好ましくは、該液貯蔵器の偏心位置には、若干の第一出液口を設置する。
【０００９】
好ましくは、該液貯蔵器外には、該第一出液口の閉鎖を調節する調節リングを嵌めて設置する。
【００１０】
好ましくは、該溶解カップの底部には、第二出液口を設置する。
【００１１】
好ましくは、該溶解カップと該コーヒーカップとの間には、フィルターを設置する。
【００１２】
好ましくは、該液貯蔵器内には、温度計を設置する。
【００１３】
好ましくは、該コーヒーカップ外周には、ヤケド防止リングを嵌めて設置する。
【００１４】
好ましくは、該サポートアームの空洞内には、該駆動器にエネルギーを提供する電池をさらに設置する。
【００１５】
好ましくは、該サポートアームの側壁には、電池を充電するＵＳＢインターフェースを設置する。
【考案の効果】
【００１６】
駆動器は液貯蔵器を駆動しケーシングに沿って回転させ、液貯蔵器内の液体は、回転しながら溶解カップ内に流入し、回転しながら溶解カップ内に流入する液体は十分かつ均一にコーヒー粉の表面と接触するため、コーヒー粉を充分に抽出することができる。
【図面の簡単な説明】
【００１７】
【図１】本考案の立体図である。
【図２】本考案の断面図である。
【図３】本考案の分解図である。
【考案を実施するための形態】
【００１８】
（一実施形態）
本考案の一実施形態によるコーヒーメーカーブリューワーマシンを図面に基づいて説明する。
【００１９】
図１〜図３に示すように、コーヒーメーカーブリューワーマシンは、底台１０を備える。
【００２０】
該底台１０は、コーヒーカップ２０を支えるために用いる。
【００２１】
該底台１０の上表面には、該底台１０と垂直なサポートアーム３０を設置す。
【００２２】
該サポートアーム３０は、空洞式構造で、該サポートアーム３０の頂部は、その側壁方向へと延伸し、液貯蔵器５０の固定に用いるケーシング３０１を備え。
【００２３】
該サポートアーム３０中央部は、その側壁方向へと延伸し、溶解カップ４０を支えるサポートフレーム３０３を備える。
【００２４】
該液貯蔵器５０内には、液体を入れ、しかも該液貯蔵器５０の底部には、第一出液口５０１を設置する。
【００２５】
該溶解カップ４０内には、コーヒー粉を入れ、コーヒーカップ２０には、ブリューして抽出された溶液を入れる。
【００２６】
該サポートアーム３０は、該液貯蔵器５０、該溶解カップ４０を支え、該液貯蔵器５０、該溶解カップ４０、該コーヒーカップ２０は、上から下へと、同一の垂直平面に位置する。
【００２７】
該サポートアーム３０内には、該液貯蔵器５０の回転を駆動する駆動器７０を設置し、該駆動器７０は、該液貯蔵器５０の回転を駆動する。
【００２８】
該液貯蔵器５０内の液体は、回転しながら、該溶解カップ４０内に流入し、該溶解カップ４０内のコーヒー粉をブリュー後の液体は、該コーヒーカップ２０内に流入する。
【００２９】
具体的には、図２、図３に示すように、該駆動器７０は、該液貯蔵器５０外にぐるりと嵌める回転リング７０１、該回転リング７０１外に嵌めて設置し、しかも該回転リング７０１を支えるベアリング７０２、及び該サポートアーム３０空洞内に位置するモーター７０３を備える。
【００３０】
該回転リング７０１と該モーター７０３の回転軸とは、設置する伝動ベルト７０４を通して連接される。
【００３１】
本考案において、ケーシング３０１の頂部には、蓋３０５をさらに固定し、該蓋３０５は、中空結構で、該液貯蔵器５０は、該蓋３０５を通過して、該ケーシング３０１内に嵌め入れられる。
【００３２】
該底台１０の上表面には、該コーヒーカップ２０を固定する固定リング３０２をさらに設置する。
【００３３】
該液貯蔵器５０の偏心位置には、若干の第一出液口５０１を設置し、該液貯蔵器５０外には、該第一出液口５０１の閉鎖を調節する調節リング５０３を嵌めて設置する。
【００３４】
該第一出液口５０１の閉鎖を調節することで、該溶解カップ４０内に流入する液体量を調節し、こうして液体のコーヒー粉に対するブリュー、及び抽出の時間をコントロールする。
【００３５】
該溶解カップ４０の底部には、第二出液口（図示なし）を設置し、該溶解カップ４０と該コーヒーカップ２０との間には、フィルター（図示なし）を設置する。
【００３６】
該液貯蔵器５０内には、温度計５０２を設置し、該コーヒーカップ２０外周には、ヤケド防止リング２０を嵌めて設置する。
【００３７】
該サポートアーム３０の空洞内には、該駆動器７０にエネルギーを提供する電池３０４をさらに設置する。
【００３８】
該サポートアーム３０側壁には、該電池３０４と連接する充電インターフェースを設置し、該充電インターフェースは、ＵＳＢインターフェースである。
【００３９】
コーヒー粉を、該溶解カップ４０内に入れ、液体を入れた液貯蔵器５０を、該ケーシング３０１内に入れる。
【００４０】
該液貯蔵器５０中の液体は、水である。
【００４１】
作動時には、該モーター７０３をオンにすると、該モーター７０３は、該回転リング７０１の回転を連動する。
【００４２】
この時、該液貯蔵器５０と該回転リングとは、一緒に回転し、該液貯蔵器５０内の液体は、該第一出液口５０１から回転しながら、該溶解カップ４０内に流入する。
【００４３】
液体は、コーヒー粉に対してブリュー及び抽出し、ブリュー及び抽出が完了した液体は、該コーヒーカップ２０内に流入する。
【００４４】
固体顆粒の該コーヒーカップ２０内への流入を防止するため、該溶解カップ４０の底部には、フィルターを設置し、同時に、該液貯蔵器５０内の液体の温度を測定するため、該液貯蔵器５０内には、温度計５０２を設置する。
【００４５】
上述の実施形態の説明を総合すると、本考案の操作、使用、及び本考案が生じる効果を充分理解することができる。
しかし、以上に述べた実施形態は単に本考案の好ましい実施形態であり、これによって本考案の特許請求の範囲を限定するものではない。
即ち本考案の特許請求の範囲及び説明書の内容に基づいて、同等効果を備える簡単な変化及び修飾は、全て、本考案の範囲内に属するものとする。
【符号の説明】
【００４６】
１０  底台
２０  コーヒーカップ
２０１  ヤケド防止リング
３０  サポートアーム
３０１  ケーシング
３０２  固定リング
３０３  サポートフレーム
３０４  電池
３０５  蓋
４０  溶解カップ
５０  液貯蔵器
５０１  第一出液口
５０２  温度計
５０３  調節リング
７０  駆動器
７０１  回転リング
７０２  ベアリング
７０３  モーター
７０４  伝動ベルト
【図１】
0003205119.tif 000003
【図２】
0003205119.tif 000004
【図３】
0003205119.tif 000005